(57)【要約】【課題】      極めて容易に注油メンテナンスができる魚釣用リ−ルのハンドルを提供することである。【解決手段】  ハンドルア−ム１の透孔１ａに支軸２の小径部２ａが挿入又は圧入されてカシメ固定され、ハンドルア−ム１の他側面に支軸２が突設されている。  支軸２の軸部２ｃ外周には軸受４、５を挟んでハンドルノブ６が回転可能に嵌合されて支軸２の他側端部はネジ１０が螺合されて軸受４、５とハンドルノブ６は抜止めされている。  ハンドルノブ６は一側中心に軸受４が嵌まる凹部６ｂが形成され、中空軸部６ａの中心透孔６ｃに挿通される支軸２の中心を通る貫通孔６ｄが中空軸部６ａの上下から穿設されている。【選択図】        図２
2007060974.tif 000002
【特許請求の範囲】
【請求項１】
ハンドルア−ムの側面に突設した支軸の外周にハンドルノブを回転可能に支持した魚釣用リ−ルのハンドルにおいて、前記ハンドルノブの支軸に挿入される部位に、該ハンドルノブの内部に挿通する貫通孔を設けたことを特徴とする魚釣用リ−ルのハンドル。
【請求項２】
前記貫通孔を閉塞部材で閉塞したことを特徴とする請求項１記載の魚釣用リ−ルのハンドル。
【発明の詳細な説明】
【技術分野】
【０００１】
本件発明は、スプ−ルに釣糸を巻き上げる魚釣用リ−ルのハンドルの改良に関する。
【背景技術】
【０００２】
従来、魚釣用リ−ルのハンドルは特許文献１や特許文献２で知られているように、ハンドルア−ムに突設してカシメ固定した支軸外周にハンドルノブを回転自在に抜け止め支持した構成としていた。
前記特許文献１、特許文献２の公報の構成は、ハンドルノブを支軸から離脱出来ないので、支軸外周と中空軸部の嵌合遊度の間隙に海水や水、ゴミ等が侵入した際に、分解してメンテナンス出来ず、ハンドル自体を交換しなければならなかった。
そこで、ハンドルア−ムに突設した支軸にハンドルノブを着脱可能に支持し、洗浄や注油等のメンテナンスを可能にして支軸と中空軸部の間の回転摩擦抵抗を小さくして軽快なハンドル操作性を可能にしたものが特許文献３で知られている。
【特許文献１】実開昭５６−２１９７１号公報
【特許文献２】実開昭５８−９６７８３号公報
【特許文献３】実開平５−２０５６１号公報
【発明の開示】
【発明が解決しようとする課題】
【０００３】
解決しようとする問題点は、特許文献３に見られる構成の魚釣用リ−ルのハンドルにおいて、ハンドルノブ内の支軸や軸受部等に注油する場合には、ハンドルノブに設けられた化粧栓を外し、そして、ハンドルノブを支軸に固定する抜け止め輪やネジを取り外してからハンドルノブを取り外し、支軸や軸受部に注油する作業となるので、作業性が悪いと共に、釣行時に工具等が必要であるため不便（工具を忘れてしまった場合は注油メンテナンスができない）という問題がある。
【０００４】
本発明の目的は前記欠点に鑑み、極めて容易に注油メンテナンスができる魚釣用リ−ルのハンドルを提供することである。
【課題を解決するための手段】
【０００５】
本発明の請求項１は、ハンドルア−ムの側面に突設した支軸の外周にハンドルノブを回転可能に支持した魚釣用リ−ルのハンドルにおいて、前記ハンドルノブの支軸に挿入される部位に、該ハンドルノブの内部に挿通する貫通孔を設けたことを要旨とするものである。
本発明の請求項２は、前記貫通孔を閉塞する閉塞部材で閉塞したことを要旨とするものである。
【発明の効果】
【０００６】
本発明の請求項１によれば、ハンドルノブの支軸に挿入される部位に、ハンドルノブの内部に挿通する貫通孔を穿設したことで、ハンドルノブを取り外すことなく支軸や軸受部に注油することが出来る。
ハンドルノブを取り外すことなく注油等のメンテナンスができ、回転摩擦抵抗を小さく出来るから、ハンドルノブを手で握持した状態で巻取り操作を軽快に行うことが出来る。
本発明の請求項２によれば、貫通孔を閉塞部材で閉塞したことで、貫通孔から海水や水、ゴミ等が支軸や軸受部に侵入するのを防止することができる。
【発明を実施するための最良の形態】
【０００７】
ハンドルア−ム１の透孔１ａに支軸２の小径部２ａが挿入又は圧入されて鍔部２ｂがハンドルア−ム１の他側に当接され、小径部２ａの一側がカシメ固定されてハンドルア−ム１の他側面に支軸２が突設されている。
支軸２の軸部２ｃ外周には軸受４、５を挟んでハンドルノブ６が回転可能に嵌合されて支軸２の他側端部はネジ１０が螺合されて軸受４、５とハンドルノブ６が抜止めされている。
ハンドルノブ６は一側中心に軸受４が嵌まる凹部６ｂが形成され、中空軸部６ａの中心透孔６ｃに挿通される支軸２の中心を通る貫通孔６ｄが中空軸部６ａの上下から穿設されている。
ハンドルノブ６の中空軸部６ａの外側両端には膨出部６ｅ、６ｆが形成されている。
ハンドルノブ６の他側には軸受５と化粧栓７が嵌められる凹部６ｇが形成されている。
【実施例１】
【０００８】
以下、図面を参照しつつ本発明について説明する。
図１から図３は第１実施例で、図１は魚釣用リ−ルのハンドルの平面図、図２は魚釣用リ−ルのハンドルの要部断面図、図３は図２のＦ１−Ｆ１線の断面図である。
【０００９】
魚釣用リ−ルのハンドルは、ハンドルア−ム１の透孔１ａに支軸２の小径部２ａが挿入又は圧入されて鍔部２ｂがハンドルア−ム１の他側に当接され、小径部２ａの一側がカシメ固定されてハンドルア−ム１の他側面に支軸２が突設されている。
支軸２の軸部２ｃ外周には軸受４、５を挟んでハンドルノブ６が回転可能に嵌合されて支軸２の他側端部はネジ１０が螺合されて軸受４、５とハンドルノブ６が抜止めされている。
ハンドルノブ６は一側中心に軸受４が嵌まる凹部６ｂが形成され、中空軸部６ａの中心透孔６ｃに挿通される支軸２の中心を通る貫通孔６ｄが中空軸部６ａの上下から穿設されている。
ハンドルノブ６の中空軸部６ａの外側両端には膨出部６ｅ、６ｆが形成されている。
ハンドルノブ６の他側には軸受５と化粧栓７が嵌められる凹部６ｇが形成されている。
【００１０】
前記魚釣用リ−ルのハンドルが組み立てられる時は、支軸２がハンドルア−ム１にカシメ固定され、支軸２の軸部２ｃ外周には軸受４とハンドルノブ６と軸受５が嵌合されて支軸２の他側端部がネジ１０で螺合される。
ハンドルノブ６の中空軸部６ａの中の中心透孔６ｃと軸受４、５に注油される時は貫通孔６ｄから注油される。
【００１１】
前記魚釣用リ−ルのハンドルが回転される時は、ハンドルノブ６の中空軸部６ａの外周を手の指で握られ、ハンドルア−ム１と支軸２が回転されて図示しないリ−ルのスプ−ルが回転される。
【００１２】
前記のように魚釣用リ−ルのハンドルが構成されると、ハンドルノブ６の支軸２に挿入される部位の中空軸部６ａに、ハンドルノブ６の内部に挿通する貫通孔６ｄを穿設したことで、ハンドルノブ６を取り外すことなく支軸２や軸受４、５に注油することが出来る。
ハンドルノブ６を取り外すことなく注油等のメンテナンスができ、回転摩擦抵抗を小さく出来るから、ハンドルノブ６を手で握持した状態で巻取り操作を軽快に行うことが出来る。
【実施例２】
【００１３】
図４は第２実施例で、図４は魚釣用リ−ルのハンドルの断面図である。
【００１４】
第２実施例では、ハンドルノブ６の中空軸部６ａに、貫通孔６ｈが支軸２の中心から偏奇した位置に中心透孔６ｃに挿通されるように穿設されている。
他の構成は前記第１実施例と略同一である。
【実施例３】
【００１５】
図５、図６は第３実施例で、図５は魚釣用リ−ルのハンドルの平面図、図６は魚釣用リ−ルのハンドルの要部断面図である。
【００１６】
第３実施例では、ハンドルノブ６の中空軸部６ａの外周にゴムなどの弾性材からなる筒状の閉塞部材８が着脱可能に取り付けられ、閉塞部材８によって貫通孔６ｄが閉塞されている。
支軸２や軸受４、５に注油する時にはゴムなどの弾性材からなる筒状の閉塞部材８の位置をずらして貫通孔６ｄに注油される。
他の構成は前記第１実施例と略同一である。
【００１７】
前記のように魚釣用リ−ルのハンドルが構成されると、貫通孔６ｄを閉塞部材８で閉塞したことで、貫通孔６ｄから海水や水、ゴミ等が支軸２や軸受４、５に侵入するのを防止することができる。
第２実施例のハンドルノブ６の中空軸部６ａの貫通孔６ｈを閉塞部材８で閉塞してもよい。
【実施例４】
【００１８】
図７、図８は第４実施例で、図７は魚釣用リ−ルのハンドルの平面図、図８は魚釣用リ−ルのハンドルの要部断面図である。
【００１９】
第４実施例では、ハンドルノブ６の中空軸部６ａに穿設された貫通孔６ｄの夫々の貫通孔６ｄをＯリングからなる閉塞部材９で閉塞するように、中空軸部６ａの外周に周溝６ｉが形成されている。
支軸２や軸受４、５に注油する時にはＯリングからなる閉塞部材９の位置をずらして貫通孔６ｄに注油される。
他の構成は前記第１実施例と略同一である。
【実施例５】
【００２０】
図９、図１０は第５実施例で、図９は魚釣用リ−ルのハンドルの平面図、図１０は魚釣用リ−ルのハンドルの要部断面図である。
【００２１】
第５実施例では、ハンドルノブ６の中空軸部６ａの内部の中心透孔６ｃにゴムなどの弾性材からなる筒状の閉塞部材８′が取り付けられている。
閉塞部材８′によって貫通孔６ｄは内側から閉塞されている。
閉塞部材８′の貫通孔６ｄ位置には十字の切込み８ａが形成されている。
支軸２や軸受４、５に注油する時には十字の切込み８ａに注油器の注油筒先を挿入して注油され、注油筒先を抜くことで閉塞される。
他の構成は前記第１実施例と略同一である。
【産業上の利用可能性】
【００２２】
前記説明では、魚釣用リ−ルを特定しないで述べたが、各形式の魚釣用リ−ルに実施してもよい。
【図面の簡単な説明】
【００２３】
【図１】第１実施例で、魚釣用リ−ルのハンドルの平面図である。
【図２】同魚釣用リ−ルのハンドルの要部断面図である。
【図３】同図２のＦ１−Ｆ１線の断面図である。
【図４】第２実施例で、魚釣用リ−ルのハンドルの断面図である。
【図５】第３実施例で、魚釣用リ−ルのハンドルの平面図である。
【図６】同魚釣用リ−ルのハンドルの要部断面図である。
【図７】第４実施例で、魚釣用リ−ルのハンドルの平面図である。
【図８】同魚釣用リ−ルのハンドルの要部断面図である。
【図９】第５実施例で、魚釣用リ−ルのハンドルの平面図である。
【図１０】同魚釣用リ−ルのハンドルの要部断面図である。
【符号の説明】
【００２４】
１  ハンドルア−ム
２  支軸
６  ハンドルノブ
６ａ  支軸に挿入される部位（中空軸部）
６ｄ、６ｈ  貫通孔
８、８′、９  閉塞部材
【図１】
2007060974.tif 000003
【図２】
2007060974.tif 000004
【図３】
2007060974.tif 000005
【図４】
2007060974.tif 000006
【図５】
2007060974.tif 000007
【図６】
2007060974.tif 000008
【図７】
2007060974.tif 000009
【図８】
2007060974.tif 000010
【図９】
2007060974.tif 000011
【図１０】
2007060974.tif 000012